(57)【要約】【課題】情報信号に対して複数の機能ブロックを用いて一連の処理を行うものにあって、新たな機能ブロックを追加する際に既存の機能ブロックの機能を変化させる必要がある場合であっても、当該新たな機能ブロックを容易に追加可能とする。【解決手段】制御ブロック１１０は、電源投入時に、画像信号処理装置１００を構成する全機能ブロックから制御情報を取得する。追加された機能ブロックには、その追加で機能を変化させるべき他の機能ブロックを制御するための制御情報も格納されている。制御ブロック１１０は、第１の機能ブロックから取得された、この第１の機能ブロックを制御するための第１の制御情報と、第２の機能ブロックから取得された第１の機能ブロックを制御するための制御情報との間にかち合う部分があるとき、そのかち合う部分については、第２の機能ブロックから取得された制御情報に基づいて第１の機能ブロックを制御する。【選択図】        図１
2005190083.tif 000002
【特許請求の範囲】
【請求項１】
情報信号を処理するための複数の機能ブロックのそれぞれから、少なくとも自己の機能ブロックまたは他の機能ブロックを制御するための制御情報を取得する情報取得手段と、
上記情報取得手段で取得された制御情報に基づいて、上記複数の機能ブロックにコマンドを送信して制御する制御手段とを備え、
上記制御手段は、上記情報取得手段で取得された制御情報として、第１の機能ブロックから取得された該第１の機能ブロックを制御するための第１の制御情報と、第２の機能ブロックから取得された上記第１の機能ブロックを制御するための第２の制御情報とが存在し、上記第１の制御情報および上記第２の制御情報にかち合う部分があるとき、該かち合う部分については、上記第１の制御情報ではなく上記第２の制御情報に基づいて、上記第１の機能ブロックを制御する
ことを特徴とする機能ブロック制御装置。
【請求項２】
上記機能ブロックは、上記コマンドにより、信号経路または信号処理を変化させる
ことを特徴とする請求項１に記載の機能ブロック制御装置。
【請求項３】
上記情報取得手段で取得された制御情報に、ユーザが操作する操作スイッチを対応させてある第１のコマンドを含む所定の機能ブロックを制御するための制御情報が存在する場合、
上記制御手段は、上記第１のコマンドに対応した操作スイッチの操作があるとき、該第１のコマンドを上記所定の機能ブロックに送信して制御する
ことを特徴とする請求項１に記載の機能ブロック制御装置。
【請求項４】
上記情報取得手段で取得された制御情報に、ユーザが操作する操作スイッチと対応させていない第２のコマンドを含む所定の機能ブロックを制御するための制御情報が存在する場合、
上記制御手段は、上記操作スイッチの操作に関連させることなく、上記第２のコマンドを上記所定の機能ブロックに送信して制御する
ことを特徴とする請求項１に記載の機能ブロック制御装置。
【請求項５】
情報信号を処理するための複数の機能ブロックのそれぞれから、少なくとも自己の機能ブロックまたは他の機能ブロックを制御するための制御情報を取得する情報取得ステップと、
上記情報取得ステップで取得された制御情報に基づいて、上記複数の機能ブロックにコマンドを送信して制御する制御ステップとを備え、
上記制御ステップでは、上記情報取得ステップで取得された制御情報として、第１の機能ブロックから取得された該第１の機能ブロックを制御するための第１の制御情報と、第２の機能ブロックから取得された上記第１の機能ブロックを制御するための第２の制御情報とが存在し、上記第１の制御情報および上記第２の制御情報にかち合う部分があるとき、該かち合う部分については、上記第１の制御情報ではなく上記第２の制御情報に基づいて、上記第１の機能ブロックを制御する
ことを特徴とする機能ブロック制御方法。
【請求項６】
情報信号を処理するための複数の機能ブロックのそれぞれから、少なくとも自己の機能ブロックまたは他の機能ブロックを制御するための制御情報を取得する情報取得ステップと、
上記情報取得ステップで取得された制御情報に基づいて、上記複数の機能ブロックにコマンドを送信して制御する制御ステップとを備え、
上記制御ステップでは、上記情報取得ステップで取得された制御情報として、第１の機能ブロックから取得された該第１の機能ブロックを制御するための第１の制御情報と、第２の機能ブロックから取得された上記第１の機能ブロックを制御するための第２の制御情報とが存在し、上記第１の制御情報および上記第２の制御情報にかち合う部分があるとき、該かち合う部分については、上記第１の制御情報ではなく上記第２の制御情報に基づいて、上記第１の機能ブロックを制御する機能ブロック制御方法を
コンピュータに実行させるためのプログラムを記録したコンピュータ読み取り可能な媒体。
【請求項７】
情報信号を処理するための複数の機能ブロックのそれぞれから、少なくとも自己の機能ブロックまたは他の機能ブロックを制御するための制御情報を取得する情報取得ステップと、
上記情報取得ステップで取得された制御情報に基づいて、上記複数の機能ブロックにコマンドを送信して制御する制御ステップとを備え、
上記制御ステップでは、上記情報取得ステップで取得された制御情報として、第１の機能ブロックから取得された該第１の機能ブロックを制御するための第１の制御情報と、第２の機能ブロックから取得された上記第１の機能ブロックを制御するための第２の制御情報とが存在し、上記第１の制御情報および上記第２の制御情報にかち合う部分があるとき、該かち合う部分については、上記第１の制御情報ではなく上記第２の制御情報に基づいて、上記第１の機能ブロックを制御する機能ブロック制御方法を
コンピュータに実行させるためのプログラム。
【請求項８】
制御部および機能部を備え、
上記制御部は、
少なくとも自己の機能ブロック、または他の機能ブロックを制御するための制御情報を記憶する記憶手段と、
上記記憶手段に記憶されている上記制御情報を読み出して制御ブロックに送信すると共に、該制御ブロックから送信されてくるコマンドを受信する通信手段と、
上記通信手段で受信されたコマンドをデコードして上記機能部を制御する制御信号を得るデコード手段とを有する
ことを特徴とする機能ブロック。
【請求項９】
制御ブロックと情報信号を処理するための複数の機能ブロックとを有してなり、
上記複数の機能ブロックは、それぞれ、
制御部および機能部を備え、
上記制御部は、
少なくとも自己の機能ブロックまたは他の機能ブロックを制御するための制御情報を記憶する記憶手段と、
上記記憶手段に記憶されている上記制御情報を読み出して制御ブロックに送信すると共に、該制御ブロックから送信されてくるコマンドを受信する通信手段と、
上記通信手段で受信されたコマンドをデコードして上記機能部を制御する制御手段を得るデコード手段とを有し、
上記制御ブロックは、
上記複数の機能ブロックのそれぞれから上記記憶手段に記憶されている制御情報を取得する情報取得手段と、
上記情報取得手段で取得された制御情報に基づいて、上記複数の機能ブロックにコマンドを送信して制御する制御手段とを有し、
上記制御手段は、上記情報取得手段で取得された制御情報として、第１の機能ブロックから取得された該第１の機能ブロックを制御するための第１の制御情報と、第２の機能ブロックから取得された上記第１の機能ブロックを制御するための第２の制御情報とが存在し、上記第１の制御情報および上記第２の制御情報にかち合う部分があるとき、該かち合う部分については、上記第１の制御情報ではなく上記第２の制御情報に基づいて、上記第１の機能ブロックを制御する
ことを特徴とする情報信号処理装置。
【請求項１０】
上記制御ブロックと上記複数の機能ブロックとは、制御バスを介して接続される
ことを特徴とする請求項９に記載の情報信号処理装置。
【請求項１１】
上記複数の機能ブロックはそれぞれ基板であり、
該複数の機能ブロックは、それぞれ筐体に設けられたスロットに挿入されることで上記制御バスに接続される
ことを特徴とする請求項１０に記載の情報信号処理装置。
【発明の詳細な説明】
【技術分野】
【０００１】
この発明は、例えば複数の機能ブロックを用いて画像信号を処理する画像信号処理装置等に適用して好適な機能ブロックの制御装置および制御方法、機能ブロック、情報信号処理装置、並びにプログラムおよびそれを記録した媒体に関する。
【０００２】
詳しくは、この発明は、第１の機能ブロックから取得されたこの第１の機能ブロックを制御するための第１の制御情報と、第２の機能ブロックから取得された第１の機能ブロックを制御するための第２の制御情報とが存在し、第１の制御情報および第２の制御情報にかち合う部分があるとき、このかち合う部分については、第１の制御情報ではなく第２の制御情報に基づいて第１の機能ブロックを制御することによって、第２の機能ブロックを追加する際に第１の機能ブロックの機能を変化させる必要がある場合、第１の機能ブロック内の制御情報を変更する必要がなく、第２の機能ブロック内に第１の機能ブロックの機能を変化させるための制御情報を格納しておくだけで済み、第２の機能ブロックを容易に追加できるようにした機能ブロックの制御装置等に係るものである。
【背景技術】
【０００３】
従来、画像信号にノイズ除去、高画質化等の一連の処理を行って出力する画像信号処理装置において、これら一連の処理を複数の機能ブロック、例えば基板、チップ、装置等を用いて実現することが考えられている。この場合、新たな機能ブロックを追加することで、アップグレードを図ることができる。新たな機能ブロックを追加する場合、各機能ブロックを制御するための制御ブロックは、その新たな機能ブロックを制御するための制御情報を取得することが必要となる。
【０００４】
特許文献１には、パーソナルコンピュータ等の情報処理装置に周辺装置を接続するとき、この周辺装置の記憶装置に格納されているドライバソフトを情報処理装置の記憶装置に自動的にインストールし、情報処理装置で周辺装置の制御を可能とする技術が記載されている。
【０００５】
【特許文献１】特開平１１−５３２８９号公報
【発明の開示】
【発明が解決しようとする課題】
【０００６】
上述した特許文献１と同様に、上述した一連の処理を複数の機能ブロックを用いて実現する画像信号処理装置において、新たな機能ブロックを追加する際、制御ブロックがこの新たな機能ブロックに格納されている自己の機能ブロックを制御するための制御情報を取得する構成とすることが考えられる。
【０００７】
新たな機能ブロックを追加する際に、他の機能ブロックの機能、例えば信号経路、信号処理等を変化させることが必要となる場合がある。その場合には、他の機能ブロックに格納されている自己の機能ブロックを制御するための制御情報を書き換えればよい。しかし、ハードウェアの制約（記憶媒体がＲＯＭで書き換えられない）や運用上の制約（古い機能ブロックを修正できる機会がない）により、書き換えられない場合が多い。
【０００８】
この発明の目的は、第２の機能ブロックを追加する際に第１の機能ブロックの機能を変化させる必要がある場合、第１の機能ブロック内の制御情報を変更せずに、第２の機能ブロックを容易に追加できるようにすることにある。
【課題を解決するための手段】
【０００９】
この発明に係る機能ブロック制御装置は、情報信号を処理するための複数の機能ブロックのそれぞれから、少なくとも自己の機能ブロックまたは他の機能ブロックを制御するための制御情報を取得する情報取得手段と、この情報取得手段で取得された制御情報に基づいて、複数の機能ブロックにコマンドを送信して制御する制御手段とを備え、制御手段は、情報取得手段で取得された制御情報として、第１の機能ブロックから取得されたこの第１の機能ブロックを制御するための第１の制御情報と、第２の機能ブロックから取得された第１の機能ブロックを制御するための第２の制御情報とが存在し、第１の制御情報および第２の制御情報にかち合う部分があるとき、このかち合う部分については、第１の制御情報ではなく第２の制御情報に基づいて、第１の機能ブロックを制御するものである。
【００１０】
また、この発明に係る機能ブロック制御方法は、情報信号を処理するための複数の機能ブロックのそれぞれから、少なくとも自己の機能ブロックまたは他の機能ブロックを制御するための制御情報を取得する情報取得ステップと、この情報取得ステップで取得された制御情報に基づいて、複数の機能ブロックにコマンドを送信して制御する制御ステップとを備え、制御ステップでは、情報取得ステップで取得された制御情報として、第１の機能ブロックから取得されたこの第１の機能ブロックを制御するための第１の制御情報と、第２の機能ブロックから取得された第１の機能ブロックを制御するための第２の制御情報とが存在し、第１の制御情報および第２の制御情報にかち合う部分があるとき、このかち合う部分については、第１の制御情報ではなく第２の制御情報に基づいて、第１の機能ブロックを制御するものである。
【００１１】
また、この発明に係るプログラムは、上述した機能ブロック制御方法をコンピュータに実行させるためのものである。また、この発明に係るコンピュータ読み取り可能な媒体は、上述のプログラムを記録したものである。
【００１２】
また、この発明に係る機能ブロックは、制御部および機能部を備え、制御部は、少なくとも自己の機能ブロックまたは他の機能ブロックを制御するための制御情報を記憶する記憶手段と、この記憶手段に記憶されている制御情報を読み出して制御ブロックに送信すると共に、この制御ブロックから送信されてくるコマンドを受信する通信手段と、この通信手段で受信されたコマンドをデコードして機能部を制御する制御信号を得るデコード手段とを有するものである。
【００１３】
また、この発明に係る情報信号処理装置は、制御ブロックと情報信号を処理するための複数の機能ブロックとを有してなるものである。そして、複数の機能ブロックは、それぞれ、制御部および機能部を備え、制御部は、少なくとも自己の機能ブロックまたは他の機能ブロックを制御するための制御情報を記憶する記憶手段と、この記憶手段に記憶されている制御情報を読み出して制御ブロックに送信すると共に、この制御ブロックから送信されてくるコマンドを受信する通信手段と、この通信手段で受信されたコマンドをデコードして機能部を制御する制御手段を得るデコード手段とを有するものである。制御ブロックは、複数の機能ブロックのそれぞれから記憶手段に記憶されている制御情報を取得する情報取得手段と、この情報取得手段で取得された制御情報に基づいて、複数の機能ブロックにコマンドを送信して制御する制御手段とを有し、制御手段は、情報取得手段で取得された制御情報として、第１の機能ブロックから取得されたこの第１の機能ブロックを制御するための第１の制御情報と、第２の機能ブロックから取得された第１の機能ブロックを制御するための第２の制御情報とが存在し、第１の制御情報および第２の制御情報にかち合う部分があるとき、このかち合う部分については、第１の制御情報ではなく第２の制御情報に基づいて、第１の機能ブロックを制御するものである。
【００１４】
この発明において、制御ブロックは、情報信号、例えば画像信号、音声信号等を処理するための複数の機能ブロックのそれぞれから、少なくとも自己の機能ブロックまたは他の機能ブロックを制御するための制御情報を取得する。そして、この制御ブロックは、取得された制御情報に基づいて、複数の機能ブロックにコマンドを送信して制御する。機能ブロックは、コマンドにより、機能、例えば信号経路または信号処理を変化させる。
【００１５】
例えば、制御ブロックは、取得された制御情報に、ユーザが操作する操作スイッチを対応させてある第１のコマンドを含む所定の機能ブロックを制御するための制御情報が存在する場合、第１のコマンドに対応した操作スイッチの操作があるとき、この第１のコマンドを所定の機能ブロックに送信して制御する。
【００１６】
また例えば、制御ブロックは、取得された制御情報に、ユーザが操作する操作スイッチと対応させていない第２のコマンドを含む所定の機能ブロックを制御するための制御情報が存在する場合、操作スイッチの操作に関連させることなく、第２のコマンドを所定の機能ブロックに送信して制御する。
【００１７】
制御ブロックで取得された制御情報に、第１の機能ブロックから取得されたこの第１の機能ブロックを制御するための第１の制御情報と、第２の機能ブロックから取得された第１の機能ブロックを制御するための第２の制御情報とが存在し、これら第１の制御情報および第２の制御情報にかち合う部分がある場合がある。例えば、第２の機能ブロックが新たに追加した機能ブロックであり、この第２の機能ブロックを追加する際に第１の機能ブロックの機能を変化させる必要があり、そのための制御情報である第２の制御情報が第２の機能ブロックに記憶されていた場合である。
【００１８】
この場合、制御ブロックは、かち合う部分については、第１の機能ブロックから取得された第１の制御情報ではなく、第２の機能ブロックから取得された第２の制御情報に基づいて、第１の機能ブロックを制御する。これにより、第２の機能ブロックを追加する際に第１の機能ブロックの機能を変化させる必要がある場合、第１の機能ブロック内の制御情報を変更する必要がなく、第２の機能ブロック内に第１の機能ブロックの機能を変化させるための制御情報を格納しておくだけで済み、第２の機能ブロックを容易に追加できる。
【００１９】
なお、制御ブロックと複数の機能ブロックとは、制御バスを介して接続される。例えば、複数の機能ブロックはそれぞれ基板であり、複数の機能ブロックは、それぞれ筐体に設けられたスロットに挿入されることで制御バスに接続される。
【発明の効果】
【００２０】
この発明によれば、第１の機能ブロックから取得された当該第１の機能ブロックを制御するための第１の制御情報と、第２の機能ブロックから取得された第１の機能ブロックを制御するための第２の制御情報とが存在し、第１の制御情報および第２の制御情報にかち合う部分があるとき、かち合う部分については、第１の制御情報ではなく第２の制御情報に基づいて第１の機能ブロックを制御するものであり、第２の機能ブロックを追加する際に第１の機能ブロックの機能を変化させる必要がある場合、第１の機能ブロック内の制御情報を変更する必要がなく、第２の機能ブロック内に第１の機能ブロックの機能を変化させるための制御情報を格納しておくだけで済み、第２の機能ブロックを容易に追加できる。また、第２の機能ブロックを追加する際に、第１の機能ブロック内の制御情報を変更しないので、第２の機能ブロックを削除して、容易に元の状態に戻すことができる。
【発明を実施するための最良の形態】
【００２１】
以下、図面を参照しながら、この発明の実施の形態について説明する。図１は、実施の形態としての画像信号処理装置１００の構成を示している。
【００２２】
この処理装置１００は、筐体１０１を有している。筐体１０１には、コネクタ１０２ａ〜１０２ｃ，１０３が設けられている。コネクタ１０２ａは、外部ビデオ入力用のコネクタであって、図示しないＶＣＲ(Video Cassette Recorder)、ＤＶＤ(Digital Versatile Disc)プレーヤ等で再生された、外部ビデオ入力としての画像信号を入力するためのコネクタである。コネクタ１０２ｂは、デジタル地上波アンテナ線用のコネクタであって、図示しないデジタル地上波用アンテナで受信された放送信号を入力するためのコネクタである。コネクタ１０２ｃは、Ｕ／Ｖ(ＵＨＦ／ＶＨＦ)アンテナ線用のコネクタであって、図示しないＵ／Ｖ用アンテナで受信された放送信号を入力するためのコネクタである。このコネクタ１０３は、ディスプレイに供給する画像信号を出力するためのコネクタである。
【００２３】
また、筐体１０１には、機能ブロックとしての基板を挿入するための複数個のスロット、本実施の形態においては、５個のスロット１０４ａ〜１０４ｅが設けられている。スロット１０４ａは、機能ブロック１としてのＵ／Ｖチューナの基板１２１（以下、単に、「Ｕ／Ｖチューナ１２１」とする）を挿入するためのスロットである。スロット２は、機能ブロック６としてのデジタル地上波チューナの基板１２６（以下、単に、「デジタル地上波チューナ１２６」とする）を挿入するためのスロットである。スロット１０４ｃは、機能ブロック４としての高画質化処理を行うＤＲＣ(Digital Reality Creation)回路の基板１２４（以下、単に、「ＤＲＣ回路１２４」とする）を挿入するためのスロットである。スロット１０４ｄは、機能ブロック５としてのＬＣＤ(Liquid Crystal Display)やＰＤＰ(Plasma Display Panel)等のパネル用処理回路の基板１２５（以下、単に、「パネル用処理回路１２５」とする）を挿入するためのスロットである。スロット１０４ｅは、機能ブロック７としてのノイズ除去処理回路の基板１２７（以下、単に、「ノイズ除去処理回路１２７」とする）を挿入するためのスロットである。
【００２４】
また、筐体１０１の内部には、例えばマイクロコンピュータを備え、装置全体の動作を制御するシステム制御ブロック１１０と、機能ブロック２としての入力セレクタの基板１２２（以下、単に、「入力セレクタ１２２」とする）と、機能ブロック３としての信号ルータ（マトリクススイッチ）の基板１２３（以下、単に、「信号ルータ１２３」とする）とを有している。システム制御ブロック１１０は、情報取得手段および制御手段を構成している。なお、上述のマイクロコンピュータの動作プログラムは、例えばＲＯＭ(read only memory)等の記憶媒体によって提供される。この場合、当該記憶媒体を着脱自在とすることで、制御の変更に柔軟に対応可能となる。また、この記憶媒体を書き込み可能な不揮発性メモリとすることで、制御の変更に合わせて動作プログラムの内容を書き換えることができる。
【００２５】
ここで、基板ブロック１〜７の基本となる機能ブロック１２０について説明する。機能ブロック１２０は、制御用コネクタ１２０ａ、入力用コネクタ１２０ｂおよび出力用コネクタ１２０ｃを有している。また、機能ブロック１２０は、制御インタフェース（Ｉ／Ｆ）１２０ｄおよび機能部１２０ｅを有している。入力用コネクタ１２０ｂには機能部１２０ｅで処理すべき信号が入力され、この信号は入力用コネクタ１２０ｂを介して機能部１２０ｅに入力される。出力用コネクタ１２０ｃには機能部１２０ｅで処理されて出力された信号が出力される。
【００２６】
制御用コネクタ１２０ａは、後述する制御バス１１１に接続される。制御Ｉ／Ｆ１２０ｄは制御用コネクタ１２０ａに接続されている。制御Ｉ／Ｆ１２０ｄは、制御情報を格納しており、電源投入時に、その制御情報を制御バス１１１を通じてシステム制御ブロック１１０に送信する。また、制御Ｉ／Ｆ１２０ｄは、システム制御ブロック１１０から制御バス１１１を通じて送信されてくる基板内コマンドをデコードして機能部１２０ｅを制御する制御信号を取得する。
【００２７】
図３は、制御Ｉ／Ｆ１２０ｄの構成を示している。この制御Ｉ／Ｆ１２０ｄは、制御ポート１２０ｄ-1、記憶手段としてのＲＯＭ１２０ｄ-2およびコマンドデコーダ１２０ｄ-3を有している。
【００２８】
ＲＯＭ１２０ｄ-2には、上述した制御情報として、少なくとも自己の機能ブロックまたは他の機能ブロックを制御するための制御情報が予め記憶されている。他の機能ブロックを制御するための制御情報は、自己の機能ブロックを追加する際に当該他の機能ブロックの機能を変化させる必要がある場合に、記憶される。
【００２９】
制御ポート１２０ｄ-1は、例えば電源投入時に、自己の機能ブロック１２０が処理装置１００を構成している場合、ＲＯＭ１２０ｄ-2に記憶されている制御情報を読み出し、制御バス１１１を通じてシステム制御ブロック１１０に送信する。ここで、自己の機能ブロック１２０が筐体１０１内にあるか、あるいは対応するスロットに挿入されているとき、当該自己の機能ブロック１２０は処理装置１００を構成しているものとする。制御ポート１２０ｄ-１は、さらに、自己の機能ブロック１２０が処理装置１００を構成している場合、システム制御ブロック１１０から制御バス１１１を通じて送信されてくる自己の機能ブロック１２０に対する基板内コマンドを受信して、コマンドデコーダ１２０ｄ-3に供給する。このように、制御ポート１２０ｄ-1は、通信手段を構成している。
【００３０】
コマンドデコーダ１２０ｄ-3は、制御ポート１２０ｄ-1から供給される基板内コマンドをデコードして機能部１２０ｅを制御する制御信号を得、この制御信号を機能部１２０ｅに供給する。機能部１２０ｅは、この制御信号に基づいて、機能、例えば信号経路または信号処理を変化させる。
【００３１】
図４は、ＲＯＭ１２０ｄ-2に記憶されている制御情報の構成を示している。図示の制御情報は１個の基板内コマンドに対応している。したがって、ＲＯＭ１２０ｄ-2に複数個の基板内コマンドに係る制御情報が記憶されている場合、図示の制御情報が複数個存在する。
【００３２】
制御情報は、機能ブロックＩＤ、基板内コマンド、値域、初期値、スイッチ番号などで構成されている。「機能ブロックＩＤ」は、当該制御情報を格納している機能ブロックを識別するＩＤである。「基板内コマンド」は、制御対象の機能ブロックの機能を制御するためのコマンドである。「値域」は、基板内コマンドの値域である。「初期値」は、電源投入時における、基板内コマンドの値である。
【００３３】
各機能ブロックにおいて、上述した制御Ｉ／Ｆ１２０ｄの制御ポート１２０ｄ-1は、受信された基板内コマンドが自己の機能ブロックで用いるべき基板内コマンドであるか否かを、その基板内コマンド自体、つまりそのコード等から判別でき、自己の機能ブロックで用いるべき基板内コマンドのみをコマンドデコーダ１２０ｄ-3に供給する。そのため、システム制御ブロック１１０は、基板内コマンドを制御バス１１１に送出する際、その基板内コマンドに宛先の情報を付加する必要はない。
【００３４】
「スイッチ番号」は、基板内コマンドを発生させるべき操作スイッチを特定する。この操作スイッチは、リモコン送信機１１２の操作スイッチ、あるいは筐体１０１の操作部１１３に配置された操作スイッチであって、スイッチ番号で特定される。システム制御ブロック１１０は、その制御情報を取得した後、スイッチ番号で特定される操作スイッチの操作があるとき、その制御情報に含まれる基板内コマンドを制御バス１１１に送出する。なお、操作スイッチの特定がない制御情報も存在する。その場合、システム制御ブロック１１０は、電源投入時に、その制御情報を取得した後、操作スイッチの操作に関連させることなく、直ちに、その制御情報に含まれる基板内コマンドを制御バス１１１に送出する。
【００３５】
上述した入力セレクタ１２２（機能ブロック２）の制御用コネクタ１２０ａは、制御バス１１１を介してシステム制御ブロック１１０に接続される。また、上述した信号ルータ１２３の制御用コネクタ１２０ａも、制御バス１１１を介してシステム制御ブロック１１０に接続される。
【００３６】
入力セレクタ１２２（機能ブロック２）は、３個の入力からいずれか一個を選択して出力する。したがって、この入力セレクタ１２２は、入力用コネクタ１２０ｂに３個の入力端子を備えており、出力用コネクタ１２０ｃに１個の出力端子を備えている。また、信号ルータ１２３（機能ブロック３）は、例えば４×４のマトリックススイッチを構成している。したがって、この信号ルータ１２３は、入力用コネクタ１２０ｂに４個の入力端子を備えており、出力用コネクタ１２０ｃに４個の出力端子を備えている。
【００３７】
上述したスロット１０４ａ〜１０４ｅは、図示せずも、機能ブロック１２０（Ｕ／Ｖチューナ１２１、デジタル地上波チューナ１２６，ＤＲＣ回路１２４、パネル用処理回路１２５、ノイズ除去回路１２７）が挿入されるとき、その制御用コネクタ１２０ａ、入力用コネクタ１２０ｂおよび出力用コネクタ１２０ｃに、それぞれ接続される、制御用コネクタ、入力用コネクタおよび出力用コネクタを備えている。このスロット１０４ａ〜１０４ｅの制御用コネクタは、それぞれ制御バス１１１に接続される。これにより、スロット１０４ａ〜１０４ｅに挿入される機能ブロック１２０の制御用コネクタ１２０ａは、制御バス１１１を介してシステム制御ブロック１１０に接続される。
【００３８】
また、コネクタ１０２ａは入力セレクタ１２２（機能ブロック２）の入力用コネクタ１２０ｂの第３の入力端子に接続される。コネクタ１０２ｂはスロット１０４ｂの入力用コネクタに接続され、このスロット１０４ｂの出力用コネクタは入力セレクタ１２２の入力用コネクタ１２０ｂの第２の入力端子に接続される。コネクタ１０２ｃは、スロット１０４ａの入力用コネクタに接続され、このスロット１０４ａの出力用コネクタは入力セレクタ１２２の入力用コネクタ１２０ｂの第１の入力端子に接続される。また、入力セレクタ１２２の出力用コネクタ１２０ｃの１個の出力端子は信号ルータ１２３（機能ブロック３）の入力用コネクタ１２０ｂに第１の入力端子に接続される。
【００３９】
また、信号ルータ１２３の出力用コネクタ１２０ｃの第１〜第３の出力端子はそれぞれスロット１０４ｃ〜１０４ｅの入力用コネクタに接続され、これらスロット１０４ｃ〜１０４ｅの出力用コネクタはそれぞれ信号ルータ１２３（機能ブロック３）の入力用コネクタ１２０ｂの第２〜第４の入力端子に接続される。
【００４０】
また、信号ルータ１２３（機能ブロック３）の出力用コネクタ１２０ｃの第４の出力端子は、コネクタ１０３に接続される。
【００４１】
図２に示す機能ブロック１２０は、上述したように、機能ブロック１〜７の基本となるものである。個々の機能ブロック１〜７について、さらに、説明する。
【００４２】
Ｕ／Ｖチューナ１２１（機能ブロック１）において、機能部１２０ｅは、入力用コネクタ１２０ｂから入力された、Ｕ／Ｖ用アンテナで受信された放送信号に対して選局処理等を施し、所定のチャネルの画像信号を出力用コネクタ１２０ｃに出力する。
【００４３】
このＵ／Ｖチューナ１２１の制御Ｉ／Ｆ１２０ｄのＲＯＭ１２０ｄ-2には、図５に示すように、自己の機能ブロックを制御するための制御情報として、チャネル１〜チャネル１２をそれぞれ選局させるための基板内コマンドch1〜ch12を含む制御情報が記憶されている。この場合、リモコン送信機１１２の操作スイッチ、あるいは筐体１０１の操作部１１３に配置された操作スイッチであって、スイッチ番号ＣＨ１〜ＣＨ１２の操作スイッチが操作されるとき、システム制御ブロック１１０は、それぞれ基板内コマンドch1〜ch12を制御バス１１１に送出する。
【００４４】
なお、システム制御ブロック１１０は、基板内コマンドch1〜ch12のいずれかを制御バス１１１に送出する場合、内蔵されている不揮発性メモリ（図示せず）におけるＵ／Ｖチューナ１２１（機能ブロック１）のチャネル制御用のラストメモリ領域に記憶された基板内コマンドを、その送出基板内コマンドで更新する。これにより、電源投入時には、このチャネル制御用のラストメモリ領域に記憶されている基板内コマンドが、初期値として、システム制御ブロック１１０から制御バス１１１に送出され、Ｕ／Ｖチューナ１２１では電源オフ時に選局されていたチャネルが自動的に選局される。
【００４５】
入力セレクタ１２２（機能ブロック２）において、機能部１２０ｅは、入力用コネクタ１２０ｂの３個の入力端子にそれぞれ入力される第１〜第３の画像信号のうち、いずれかの画像信号を選択的に出力用コネクタ１２０ｃの１個の出力端子に出力する。この場合、第１の入力端子には、Ｕ／Ｖチューナ１２１（機能ブロック１）から出力される画像信号（入力１）が入力される。第２の入力端子には、デジタル地上波チューナ１２６（機能ブロック６）から出力される画像信号（入力２）が入力される。第３の入力端子には、コネクタ１０２ａに入力される外部ビデオ入力としての画像信号（入力３）が入力される。出力端子に出力される画像信号は信号ルータ１２３（機能ブロック３）に供給される。
【００４６】
この入力セレクタ１２２の制御Ｉ／Ｆ１２０ｄのＲＯＭ１２０ｄ-2には、図５に示すように、自己の機能ブロックを制御するための制御情報として、入力１、入力３をそれぞれ選択させるための基板内コマンドin1，in3を含む制御情報が記憶されている。この場合、リモコン送信機１１２の操作スイッチ、あるいは筐体１０１の操作部１１３に配置された操作スイッチであって、スイッチ番号ＩＮ１，ＩＮ３の操作スイッチが操作されるとき、システム制御ブロック１１０は、それぞれ基板内コマンドin1，in3を制御バス１１１に送出し、入力セレクタ１２２を入力１、入力３が選択される状態に制御する。
【００４７】
なお、システム制御ブロック１１０は、基板内コマンドin1，in3のいずれかを制御バス１１１に送出する場合、内蔵されている不揮発性メモリ（図示せず）における入力セレクト用のラストメモリ領域に記憶された基板内コマンドを、その送出基板内コマンドで更新する。これにより、電源投入時には、この入力セレクト用のラストメモリ領域に記憶されている基板内コマンドが、初期値として、システム制御ブロック１１０から制御バス１１１に送出され、入力セレクタ１２２では電源オフ時に選択されていた入力が自動的に選択される。
【００４８】
信号ルータ１２３（機能ブロック３）おいて、機能部１２０ｅは、入力用コネクタ１２０ｂの４個の入力端子にそれぞれ入力される第１〜第４の画像信号を、出力用コネクタ１２０ｃの第１〜第４の出力端子に選択的に出力する。
【００４９】
この場合、第１の入力端子には、入力セレクタ１２２（機能ブロック２）から出力される画像信号（入力１＝i1）が入力される。第２の入力端子には、ＤＲＣ回路１２４（機能ブロック４）から出力される画像信号（入力２＝i2）が入力される。第３の入力端子には、パネル用処理回路１２５（機能ブロック５）から出力される画像信号（入力３＝i3）が入力される。第４の入力端子には、ノイズ除去回路１２７（機能ブロック７）から出力される画像信号（入力４＝i4）が入力される。
【００５０】
また、第１の出力端子に出力される画像信号（出力１＝o1）はＤＲＣ回路１２４（機能ブロック４）に供給される。第２の出力端子に出力される画像信号（出力２＝o2）はパネル用処理回路１２５（機能ブロック５）に供給される。第３の出力端子に出力される画像信号（出力３＝o3）はノイズ除去回路１２７に供給される。第４の出力端子に出力される画像信号(出力４＝o4)はコネクタ１０３に供給される。
【００５１】
この信号ルータ１２３（機能ブロック３）の制御Ｉ／Ｆ１２０ｄのＲＯＭ１２０ｄ-2には、図５に示すように、自己の機能ブロックを制御するための制御情報として、基板内コマンドroute(r)を含む制御情報が記憶されている。この基板内コマンドroute(r)は、第１の入力端子が第１の出力端子に接続され、第２の入力端子が第４の出力端子に接続される状態（基本状態）に、信号ルータ１２３を制御するためのものである。
【００５２】
この制御情報には、操作スイッチの特定がされていない。したがって、システム制御ブロック１１０は、電源投入時に、その制御情報を取得した後、操作スイッチの操作に関連させることなく、直ちに、その制御情報に含まれる基板内コマンドroute(r)を初期値として制御バス１１１に送出し、信号ルータ１２３が基本状態となるように制御する。
【００５３】
ただし、パネル用処理回路１２５（機能ブロック５）がスロット１０４ｄに挿入される場合、後述するように、システム制御ブロック１１０は、このパネル用処理回路１２５の制御Ｉ／Ｆ１２０ｄのＲＯＭ１２０ｄ-2に記憶されている、信号ルータ１２３を制御するための制御情報に含まれる基板内コマンドroute(p)に基づいて、制御バス１１１に送出する基板内コマンドをroute(r)から変更し、信号ルータ１２３の状態が、パネル用処理回路１２５を処理系に挿入する状態（パネル用処理挿入状態）となるように制御する。
【００５４】
ＤＲＣ回路１２４（機能ブロック４）において、機能部１２０ｅは、入力用コネクタ１２０ｂからの入力画像信号であるＳＤ(Standard Definition)信号をＨＤ(High Definition Television)信号に変換し、このＨＤ信号を出力画像信号として出力用コネクタ１２０ｃに出力する、ＤＲＣ処理（高画質化処理）を行う。このＤＲＣ回路１２４の機能部１２０ｅでは、ＨＤ信号における注目位置の画素データを得る際に、例えば、ＳＤ信号からＨＤ信号における注目位置の周辺に位置する複数の画素データを抽出し、この複数の画素データに基づいてＨＤ信号における注目位置の画素データの属するクラスを検出し、このクラスに対応した推定式の係数データを用い、当該推定式によってＨＤ信号における注目位置の画素データを求めることが行われる（特開２００１−２３８１８５号参照）。
【００５５】
このＤＲＣ回路１２４として、本実施の形態においては、第１のバージョンあるいは第２のバージョンのものが使用可能とされている。第１のバージョンのＤＲＣ回路１２４においては、ＨＤ信号の解像度、ノイズ除去度を、ユーザが自由に調整し得る構成となっている。この場合、推定式の係数データとして、ユーザによって操作される解像度ボリウム、ノイズボリウムの値に応じたものが使用される。
【００５６】
また、この第１のバージョンのＤＲＣ回路１２４において、ユーザは、動画用の処理と静止画用の処理とを切り換え可能となっている。この場合、上述したようにＨＤ信号における注目位置の画素データを推定式を用いて求める際に使用される、ＳＤ信号から抽出される当該ＨＤ信号における注目位置の周辺に位置する複数の画素データ（予測タップ）が、動画用の処理ではＨＤ信号における注目位置と同一のフィールドのみから抽出され、静止画用の処理ではＨＤ信号における注目位置と同一のフィールドを含む複数フィールドから抽出される。またこの場合、推定式の係数データとして、動画用の処理と静止画用の処理とでは、それぞれに対応したものが使用される。
【００５７】
第２のバージョンのＤＲＣ回路１２４においては、上述した第１のバージョンのＤＲＣ回路１２４（機能ブロック４）と同様の機能の他に、画像の拡大率を連続的に変化させた画像を得る機能を備えている。この場合、入力画像信号の画素データより出力画像信号の画素データを得る際に、入力画像信号の画素に対する出力画像信号の画素の各位相に対応した推定式の係数データをメモリに格納しておき、この係数データを用いて推定式によって出力画像信号の画素データを求める。なお、位相情報に基づいて係数種データより推定式で用いられる係数データを生成することで、種々の拡大率への変換を行うために大量の係数データを格納しておくメモリを不要とできる（特開２００２−１９６７３７号公報、特願２００２−３６２６６６号参照）。この第２のバージョンのＤＲＣ回路１２４において、ユーザは、ズーム率（画像の拡大率）およびズーム中心の座標（水平方向のｘ座標および垂直方向のｙ座標）を調整可能となっている。
【００５８】
第１のバージョンのＤＲＣ回路１２４の制御Ｉ／Ｆ１２０ｄのＲＯＭ１２０ｄ-2には、図５に示すように、自己の機能ブロックを制御するための制御情報として、ＤＲＣ処理を行わせるか否かを制御するための基板内コマンドdrc(ON)／drc(OFF)を含む制御情報が記憶されている。この場合、リモコン送信機１１２の操作スイッチ、あるいは筐体１０１の操作部１１３に配置された操作スイッチであって、スイッチ番号Ｄ１の操作スイッチが操作される毎に、システム制御ブロック１１０は、基板内コマンドdrc(ON)およびdrc(OFF)を交互に制御バス１１１に送出する。なお、システム制御ブロック１１０は、電源投入時には、制御バス１１１に基板内コマンドdrc(ON)を初期値として送出し、ＤＲＣ回路１２４がＤＲＣ処理を行うように制御する。
【００５９】
また、第１のバージョンのＤＲＣ回路１２４の制御Ｉ／Ｆ１２０ｄのＲＯＭ１２０ｄ-2には、図５に示すように、自己の機能ブロックを制御するための制御情報として、動画処理を行わせるか静止画処理を行わせるかを制御するための基板内コマンドmf(動画)／mf(静止)を含む制御情報が記憶されている。この場合、リモコン送信機１１２の操作スイッチ、あるいは筐体１０１の操作部１１３に配置された操作スイッチであって、スイッチ番号Ｄ２の操作スイッチが操作される毎に、システム制御ブロック１１０は、基板内コマンドmf(動画)およびmf(静止)を交互に制御バス１１１に送出する。なお、システム制御ブロック１１０は、電源投入時には、制御バス１１１に基板内コマンドmf(動画)を初期値として送出し、ＤＲＣ回路１２４が動画処理を行うように制御する。
【００６０】
また、第１のバージョンのＤＲＣ回路１２４の制御Ｉ／Ｆ１２０ｄのＲＯＭ１２０ｄ-2には、図５に示すように、自己の機能ブロックを制御するための制御情報として、それぞれ、解像度、ノイズ除去度を制御するための基板内コマンドvolA，volBを含む制御情報が記憶されている。この場合、リモコン送信機１１２の操作スイッチ、あるいは筐体１０１の操作部１１３に配置された操作スイッチであって、それぞれ、スイッチ番号UpDown1，UpDown2の操作スイッチ（アップダウンスイッチ）が操作されるとき、システム制御ブロック１１０は、基板内コマンドvolA，volBの値を変化させ、変化後の基板内コマンドvolA，volBを制御バス１１１に送出する。
【００６１】
なお、システム制御ブロック１１０は、基板内コマンドvolA，volBを制御バス１１１に送出する場合、内蔵されている不揮発性メモリ（図示せず）における解像度制御用、ノイズ除去度制御用のラストメモリ領域に記憶された基板内コマンドvolA，volBの値を、その送出基板内コマンドvolA，volBの値で更新する。これにより、電源投入時には、この解像度制御用、ノイズ除去度制御用のラストメモリ領域に記憶されている基板内コマンドvolA，volBの値を、基板内コマンドvolA，volBの初期値とし設定し、それをシステム制御ブロック１１０から制御バス１１１に送出し、ＤＲＣ回路１２４では電源オフ時に選択されていた解像度、ノイズ除去度が自動的に選択されるように制御する。
【００６２】
第２のバージョンのＤＲＣ回路１２４の制御Ｉ／Ｆ１２０ｄのＲＯＭ１２０ｄ-2には、図５に示すように、上述した第１のＤＲＣ回路１２４と同様の制御情報の他に、自己の機能ブロックを制御するための制御情報として、それぞれ、ズーム率、ズーム中心ｘ座標、ズーム中心ｙ座標を制御するための基板内コマンドvolC，volD，volEを含む制御情報が記憶されている。この場合、リモコン送信機１１２の操作スイッチ、あるいは筐体１０１の操作部１１３に配置された操作スイッチであって、それぞれ、スイッチ番号UpDown3，UpDown4，UpDown5の操作スイッチ（アップダウンスイッチ）が操作されるとき、システム制御ブロック１１０は、volC，volD，volEの値を変化させ、変化後の基板内コマンドvolC，volD，volEを制御バス１１１に送出する。
【００６３】
なお、システム制御ブロック１１０は、電源投入時に、基板内コマンドvolCの初期値として２×２を設定し、それを制御バス１１１に送出し、ＤＲＣ回路１２４におけるズーム倍率が２×２となるように制御する。また、システム制御ブロック１１０は、電源投入時に、基板内コマンドvolD，volEの初期値として画像の中心値を設定し、それを制御バス１１１に送出し、ＤＲＣ回路１２４におけるズーム中心が画像の中心となるように制御する。
【００６４】
上述したように、バージョン１のＤＲＣ回路１２４では、ユーザは、スイッチ番号UpDown1，UpDown2の操作スイッチを操作して解像度、ノイズ除去度を調整できるが、バージョン２のＤＲＣ回路１２４（機能ブロック４）では、ユーザは、さらにスイッチ番号UpDown3，UpDown4，UpDown5の操作スイッチを操作して、ズーム率、ズーム中心ｘ座標、ズーム中心ｙ座標を調整できる。
【００６５】
したがって例えば、リモコン送信機１１２あるいは筐体１０１の操作部１１３が、操作スイッチをＬＣＤ等の表示素子に表示し、カーソルの移動で目的の操作スイッチを操作する構成のものにあっては、バージョン１のＤＲＣ回路１２４がスロット１０４ｃに挿入されるときはスイッチ番号UpDown1，UpDown2の操作スイッチのみを表示し、バージョン２のＤＲＣ回路１２４がスロット１０４ｃに挿入されるとき初めてスイッチ番号UpDown1，UpDown2の操作スイッチの他に、スイッチ番号UpDown3，UpDown4，UpDown5の操作スイッチを表示することが考えられる。これにより、ユーザは、バージョン１のＤＲＣ回路１２４がスロット１０４ｃに挿入されているのに、スイッチ番号UpDown3，UpDown4，UpDown5の操作スイッチを操作するという誤操作をなくすことができる。
【００６６】
パネル用処理回路１２５（機能ブロック５）において、機能部１２０ｅは、入力用コネクタ１２０ｂから入力された画像信号に対して、ＬＣＤ、ＰＤＰ等のフラットパネルディスプレイに当該画像信号による画像を表示する際に必要となる処理、例えば輝度調整、色調整、水平、垂直の画素数変換、インタレース方式からプログレッシブ方式への方式変換等の処理を行い、処理後の画像信号を出力用コネクタ１２０ｃに出力する。
【００６７】
このパネル用処理回路１２５の制御Ｉ／Ｆ１２０ｄのＲＯＭ１２０ｄ-2には、図５に示すように、他の機能ブロックである信号ルータ１２３（機能ブロック３）を制御するための制御情報として、基板内コマンドroute(p)を含む制御情報が記憶されている。この基板内コマンドroute(p)は、第２の入力端子が第２の出力端子に接続され、第３の入力端子が第４の出力端子に接続される状態（パネル用処理挿入状態）に、信号ルータ１２３を制御するためのものである。
【００６８】
この制御情報には、操作スイッチの特定がされていない。したがって、システム制御ブロック１１０は、電源投入時に、その制御情報を取得した後、操作スイッチの操作に関連させることなく、直ちに、その制御情報に含まれる基板内コマンドroute(p)および上述した信号ルータ１２３（機能ブロック３）から取得した基板内コマンドroute(r)とに基づいて、制御バス１１１に送出すべき基板内コマンドroute(r1)を決定し、当該基板内コマンドroute(r1)を制御バス１１１に送出する。
【００６９】
この場合、基板内コマンドroute(p)と基板内コマンドroute(r)とではかち合う部分が存在する。システム制御ブロック１１０は、そのかち合う部分については、基板内コマンドroute(p)に基づいて、基板内コマンドroute(r1)を決定する。この基板内コマンドrout(ｒ1)は、第１の入力端子が第１の出力端子に接続され、第２の入力端子が第２の出力端子に接続され、第３の入力端子が第４の出力端子に接続される状態に、信号ルータ１２３を制御するためのものとなる。
【００７０】
また、パネル用処理回路１２５の制御Ｉ／Ｆ１２０ｄのＲＯＭ１２０ｄ-2には、図５に示すように、他の機能ブロックであるＤＲＣ回路１２４（機能ブロック４）を制御するための制御情報として、それぞれ、解像度、ノイズ除去度を制御するための基板内コマンドvolA，volBを含む制御情報が記憶されている。
【００７１】
この制御情報には、操作スイッチの特定がされていない。したがって、システム制御ブロック１１０は、電源投入時に、その制御情報を取得した後、操作スイッチの操作に関連させることなく、直ちに、その制御情報に含まれる基板内コマンドvolA，volBの初期値を制御バス１１１に送出する。この基板内コマンドvolA，volBの初期値は、当該パネル用処理回路１２５が、ＬＣＤ用であるか、ＰＤＰ用であるかに応じて、予め最適に設定されている。
【００７２】
なお、上述したように、ＤＲＣ回路１２４（機能ブロック４）から取得される制御情報として、同様に、解像度、ノイズ除去度を制御するための基板内コマンドvolA，volBを含む制御情報が存在し、電源投入時における初期値は、ラストメモリ領域に記憶されている基板内コマンドvolA，volBの値とされる。
【００７３】
したがって、システム制御ブロック１１０は、ＤＲＣ回路１２４から基板内コマンドvolA，volBを含む制御情報を取得し、またパネル用処理回路１２５から基板内コマンドvolA，volBを含む制御情報を取得した場合、これらの制御情報は初期値の部分でかち合うことから、初期値に関してはパネル用処理回路１２５から取得した制御情報のみに基づいて、ＤＲＣ回路１２４を制御する。
【００７４】
つまり、システム制御ブロック１１０は、電源投入時に、上述したように、パネル用処理回路１２５から取得した制御情報に含まれる基板内コマンドvolA，volBの初期値を制御バス１１１に送出して、ＤＲＣ回路１２４における解像度、ノイズ除去度を制御する。その後、システム制御ブロック１１０は、ユーザによるスイッチ番号UpDown1，UpDown2の操作スイッチ（アップダウンスイッチ）の操作があるとき、volA，volBの値を初期値から変化させ、変化後の基板内コマンドvolA，volBを制御バス１１１に送出し、ユーザが解像度、ノイズ除去度を調整可能とする。
【００７５】
デジタル地上波チューナ１２６（機能ブロック６）において、機能部１２０ｅは、入力用コネクタ１２０ｂから入力された、デジタル地上波用アンテナで受信された放送信号に対して選局処理等を施し、所定のチャネルの画像信号を出力用コネクタ１２０ｃに出力する。
【００７６】
このデジタル地上波チューナ１２６（機能ブロック６）の制御Ｉ／Ｆ１２０ｄのＲＯＭ１２０ｄ-2には、図５に示すように、自己の機能ブロックを制御するための制御情報として、所定のチャネルを選局するための基板内コマンドchnを含む制御情報が記憶されている。この場合、リモコン送信機１１２の操作スイッチ、あるいは筐体１０１の操作部１１３に配置された操作スイッチであって、スイッチ番号chUpDownの操作スイッチ（アップダウンスイッチ）が操作されるとき、システム制御ブロック１１０は、基板内コマンドchnの値を変化させ、変化後の基板内コマンドchnを制御バス１１１に送出する。
【００７７】
なお、システム制御ブロック１１０は、基板内コマンドchｎを制御バス１１１に送出する場合、内蔵されている不揮発性メモリ（図示せず）におけるデジタル地上波チューナ１２６のチャネル制御用のラストメモリ領域に記憶された基板内コマンドchnの値を、その送出基板内コマンドchnの値で更新する。これにより、電源投入時には、このチャネル制御用のラストメモリ領域に記憶されている基板内コマンドchnが、初期値として、システム制御ブロック１１０から制御バス１１１に送出され、デジタル地上波チューナ１２６では電源オフ時に選局されていたチャネルが自動的に選局される。
【００７８】
また、デジタル地上波チューナ１２６の制御Ｉ／Ｆ１２０ｄのＲＯＭ１２０ｄ-2には、図５に示すように、他の機能ブロックとしての入力セレクタ１２２（機能ブロック２）を制御するための制御情報として、入力２を選択させるための基板内コマンドin2を含む制御情報が記憶されている。この場合、リモコン送信機１１２の操作スイッチ、あるいは筐体１０１の操作部１１３に配置された操作スイッチであって、スイッチ番号ＩＮ２の操作スイッチが操作されるとき、システム制御ブロック１１０は、基板内コマンドin2を制御バス１１１に送出し、入力セレクタ１２２を入力２が選択される状態に制御する。
【００７９】
なお、システム制御ブロック１１０は、基板内コマンドin2を制御バス１１１に送出する場合、内蔵されている不揮発性メモリ（図示せず）における入力セレクト用のラストメモリ領域に記憶された基板内コマンドを、その送出基板内コマンドで更新する。電源投入時には、この入力セレクト用のラストメモリ領域に記憶されている基板内コマンドが、初期値として、システム制御ブロック１１０から制御バス１１１に送出され、入力セレクタ１２２（機能ブロック２）では電源オフ時に選択されていた入力が自動的に選択される。したがって、電源オフ時に入力２、つまりデジタル地上波チューナ１２６から出力される画像信号が選択されていたとき、電源オン時にはこの入力２が自動的に選択される。
【００８０】
ノイズ除去回路１２７（機能ブロック７）において、機能部１２０ｅは、入力用コネクタ１２０ｂから入力された画像信号に対して、ノイズ除去処理を行い、処理後の画像信号を出力用コネクタ１２０ｃに出力する。
【００８１】
このノイズ除去回路１２７の制御Ｉ／Ｆ１２０ｄのＲＯＭ１２０ｄ-2には、図５に示すように、他の機能ブロックである信号ルータ１２３（機能ブロック３）を制御するための制御情報として、基板内コマンドroute(n1)／route(n2)を含む制御情報が記憶されている。この場合、リモコン送信機１１２の操作スイッチ、あるいは筐体１０１の操作部１１３に配置された操作スイッチであって、スイッチ番号Ｎ１の操作スイッチが操作される毎に、システム制御ブロック１１０は、基板内コマンドroute(n2)およびroute(n1)を交互に参照して、制御バス１１１に送出すべき基板内コマンドを決定し、当該基板内コマンドを制御バス１１１に送出する。なお、電源投入時に参照する初期値は基板内コマンドroute(n1)である。
【００８２】
基板内コマンドroute(n1)は、第１の入力端子が第１の出力端子に接続される状態(基本状態）に、信号ルータ１２３を制御するためのものである。一方、基板内コマンドroute(n2)は、第１の入力端子が第３の出力端子に接続され、第４の入力端子が第１の出力端子に接続される状態（ノイズ除去挿入状態）に、信号ルータ１２３を制御するためのものである。
【００８３】
システム制御ブロック１１０は、参照基板内コマンドがroute(n1)であるとき、この参照基板内コマンドroute(n1)と信号ルータ１２３（機能ブロック３）から取得された基板内コマンドroute(r)とに基づいて、制御バス１１１に送出すべき基板内コマンドを決定する。この場合、参照基板内コマンドがroute(n1)と基板内コマンドroute(r)とでかち合う部分がなく、従って、システム制御ブロック１１０は、基板内コマンドroute(r)自体を制御バス１１１に送出する。
【００８４】
また、システム制御ブロック１１０は、参照基板内コマンドがroute(n2)であるとき、この参照基板内コマンドroute(n2)と信号ルータ１２３から取得された基板内コマンドroute(r)とに基づいて、制御バス１１１に送出すべき基板内コマンドを決定する。
【００８５】
この場合、参照基板内コマンドroute(n2)と基板内コマンドroute(r)とではかち合う部分が存在する。システム制御ブロック１１０は、そのかち合う部分については、基板内コマンドroute(n2)に基づいて、基板内コマンドroute(r2)を決定する。この基板内コマンドroute(r2)は、第１の入力端子が第３の出力端子に接続され、第４の入力端子が第１の出力端子に接続され、第２の入力端子が第４の出力端子に接続される状態に、信号ルータ１２３を制御するためのものとなる。
【００８６】
なおこの場合、上述したパネル用処理回路１２５（機能ブロック５）がスロット１２５に挿入されており、このパネル用処理回路１２５から基板内コマンドroute(p)が取得されているとき、システム制御ブロック１１０は、制御バス１１１に送出すべき基板内コマンドを、この基板内コマンドroute(p)をも参照して決定する。
【００８７】
すなわち、システム制御ブロック１１０は、参照基板内コマンドがroute(n1)であるときは、上述したパネル用処理回路１２５で説明した基板内コマンドroute(r1)を、制御バス１１１に送出すべき基板内コマンドに決定する。また、システム制御ブロック１１０は、参照基板内コマンドがroute(n2)であるときは、制御バス１１１に送出すべき基板内コマンドを、route(r3)に決定する。この基板内コマンドroute(r3)は、第１の入力端子が第３の出力端子に接続され、第４の入力端子が第１の出力端子に接続され、第２の入力端子が第２の出力端子に接続され、第３の入力端子が第４の出力端子に接続される状態に、信号ルータ１２３を制御するためのものとなる。
【００８８】
次に、図１に示す画像信号処理装置１００の動作を説明する。
システム制御ブロック１１０は、図６のフローチャートに示すように、ステップＳＴ１で、電源の投入があると、ステップＳＴ２で、機能ブロック２、機能ブロック３、そしてスロット１０４ａ〜１０４ｅに挿入されている他の機能ブロック１２０の制御Ｉ／Ｆ１２０ｄのＲＯＭ１２０ｄ-2に記憶されている制御情報を、制御バス１１１を通じて取得する。そして、ステップＳＴ３で、その制御情報に基づいて、各機能ブロックの制御を開始する。
【００８９】
この場合、操作スイッチ（スイッチ番号）と関連付けられている基板内コマンドに関しては、直ちに、その基板内コマンドの初期値を制御バス１１１に送出し、各機能ブロックの状態を初期状態に制御する。その後は、ユーザの操作スイッチの操作に応じた基板内コマンドを制御バス１１１に送出し、各機能ブロックの状態をユーザの操作に応じた状態に制御する。また、操作スイッチ（スイッチ番号）と関連付けられていない基板内コマンドに関しては、直ちに、その基板内コマンドの初期値を制御バス１１１に送出し、各機能ブロックの状態を制御する。
【００９０】
なおこの場合、第１の機能ブロックから取得された、この第１の機能ブロックを制御するための第１の制御情報と、第２の機能ブロックから取得された第１の機能ブロックを制御するための制御情報とが存在し、これら第１の制御情報と第２の制御情報とにかち合う部分がある場合がある。この場合、かち合う部分については、第１の機能ブロックから取得された制御情報ではなく第２の機能ブロックから取得された制御情報に基づいて、第１の機能ブロックを制御する。
【００９１】
例えば、上述したように、信号ルータ１２３（機能ブロック３）から取得された、この信号ルータ１２３を制御するための制御情報と、パネル用処理回路１２５（機能ブロック５）から取得された、信号ルータ１２３を制御するための制御情報との間には、かち合う部分が存在するが、そのかち合う部分についてはパネル用処理回路１２５から取得された制御情報（route(p)）を優先させて、信号ルータ１２３への基板内コマンドroute(r1)が決定される。
【００９２】
また例えば、上記したように、信号ルータ１２３（機能ブロック３）から取得された、この信号ルータ１２３を制御するための制御情報と、ノイズ除去回路１２７（機能ブロック７）から取得された、信号ルータ１２３を制御するための制御情報との間には、かち合う部分が存在するが、そのかち合う部分についてはノイズ除去回路１２７から取得された制御情報（route(n2)）を優先させて、信号ルータ１２３への基板内コマンドroute(r2)が決定される。
【００９３】
また例えば、上述したように、ＤＲＣ回路１２４（機能ブロック４）から取得された、このＤＲＣ回路１２４を制御するための制御情報と、パネル用処理回路１２５（機能ブロック５）から取得された、ＤＲＣ回路１２４を制御するための制御情報との間には、解像度、ノイズ除去度の初期値の部分でかち合うが、そのかち合う部分についてはパネル用処理回路１２５から取得された制御情報に含まれる初期値を優先させて、ＤＲＣ回路１２４への基板内コマンドvolA，volBが決定される。
【００９４】
次に、画像信号処理装置１００の種々の構成例について説明する。この画像信号処理装置１００では、例えば、スロット１０４ａにＵ／Ｖチューナ１１２（機能ブロック１）が挿入され、スロット１０４ｃにＤＲＣ回路１２４（機能ブロック４）が挿入された状態が、基本構成とされる。
【００９５】
図７は、基本構成の接続状態を示している。この場合、システム制御ブロック１１０は、電源投入時に、入力セレクタ１２２（機能ブロック２）、信号ルータ１２３（機能ブロック３）の他、Ｕ／Ｖチューナ１２１（機能ブロック１）、ＤＲＣ回路１２４（機能ブロック４）から、制御情報を取得する。
【００９６】
Ｕ／Ｖチューナ１２１（機能ブロック１）については、システム制御ブロック１１０は、電源投入時に、内蔵の不揮発性メモリにおけるＵ／Ｖチューナ１２１のチャネル制御用のラストメモリ領域に記憶されている基板内コマンドを、初期値として、制御バス１１１に送出する。これにより、Ｕ／Ｖチューナ１２１は、電源オフ時と同じ選局状態となるように制御される。その後は、ユーザにより、スイッチ番号ＣＨ１〜ＩＮ１１２の操作スイッチが操作されるとき、システム制御ブロック１１０は、それぞれ、基板内コマンドch1〜ch12を制御バス１１１に送出する（図５参照）。これにより、Ｕ／Ｖチューナ１２１は、それぞれ、チャネル１〜チャネル１２の選局状態となるように制御される。
【００９７】
入力セレクタ１２２（機能ブロック２）については、システム制御ブロック１１０は、電源投入時に、内蔵の不揮発性メモリの入力セレクト用のラストメモリ領域に記憶されている基板内コマンドin1または基板内コマンドin3を、初期値として、制御バス１１１に送出する。基板内コマンドin1は、入力セレクタ１２２を、Ｕ／Ｖチューナ１２１から出力される画像信号（入力１）が選択される状態に制御する。基板内コマンドin3は、入力セレクタ１２２を、コネクタ１０２ａに入力される外部ビデオ入力としての画像信号（入力３）が選択される状態に制御する。これにより、入力セレクタ１２２は、電源オフ時と同じ選択状態となるように制御される。その後は、ユーザにより、スイッチ番号ＩＮ１，ＩＮ３の操作スイッチが操作されるとき、システム制御ブロック１１０は、それぞれ、基板内コマンドin1，in3を制御バス１１１に送出する（図５参照）。これにより、入力セレクタ１２２は、それぞれ、入力１、入力３の選択状態となるように制御される。
【００９８】
信号ルータ１２３（機能ブロック３）については、システム制御ブロック１１０は、電源投入時に、当該信号ルータ１２３から取得された制御情報に含まれている基板内コマンドroute(r)をそのまま制御バス１１１に送出する（図５参照）。これにより、信号ルータ１２３は、基本状態となるように制御される。つまり、信号ルータ１２３は、第１の入力端子が第１の出力端子に接続され、第２の入力端子が第４の出力端子に接続されるように制御される。
【００９９】
ＤＲＣ回路１２４（機能ブロック４）については、システム制御ブロック１１０は、電源投入時に、基板内コマンドdrc(ON)および基板内コマンドmf(動画)を、制御バス１１１に送出する（図５参照）。これにより、ＤＲＣ回路１２４は、動画のＤＲＣ処理を行う状態となるように制御される。その後は、ユーザにより、スイッチ番号Ｄ１の操作スイッチが操作される毎に、システム制御ブロック１１０は、基板内コマンドdrc(ON)および基板内コマンドdrc(OFF)を交互に制御バス１１１に送出する。これにより、ＤＲＣ回路１２４は、交互に、ＤＲＣ処理を行う状態あるいはＤＲＣ処理を行わない状態となるように制御される。同様に、ユーザにより、スイッチ番号Ｄ２の操作スイッチが操作される毎に、システム制御ブロック１１０は、基板内コマンドmf(動画)および基板内コマンドmf(静止画)を交互に制御バス１１１に送出する。これにより、ＤＲＣ回路１２４は、交互に、動画処理を行う状態あるいは静止画処理を行う状態となるように制御される。
【０１００】
また、ＤＲＣ回路１２４（機能ブロック４）については、システム制御ブロック１１０は、電源投入時に、内蔵の不揮発性メモリの解像度制御用、ノイズ除去度制御用のラストメモリ領域に記憶されている基板内コマンドvolA，volBを、制御バス１１１に送出する。これにより、ＤＲＣ回路１２４は、電源オフ時と同じ解像度、ノイズ除去度の選択状態となるように制御される。その後は、ユーザにより、スイッチ番号UpDown1，UpDown2の操作スイッチ（アップダウンスイッチ）が操作されるとき、システム制御ブロック１１０は、基板内コマンドvolA，volBの値を変化させ、変化後の基板内コマンドvolA，volBを制御バス１１１に送出する（図５参照）。これにより、ＤＲＣ回路１２４は、ユーザの操作に応じた、解像度、ノイズ除去度となるように制御される。
【０１０１】
ＤＲＣ回路１２４（機能ブロック４）がバージョン１のものである場合には、システム制御ブロック１１０は、以上の制御を行う。しかし、ＤＲＣ回路１２４（機能ブロック４）がバージョン２のものである場合には、システム制御ブロック１１０は、さらに、以下の制御を行う。
【０１０２】
すなわち、システム制御ブロック１１０は、電源投入時に、ズーム率を制御する基板内コマンドvolC、ズーム中心ｘ座標を制御する基板内コマンドvolD、ズーム中心ｙ座標を制御する基板内コマンドvolEを、制御バス１１１に送出する（図５参照）。ここで、基板内コマンドvolCの初期値は２×２であり、基板内コマンドvolD，volEの初期値は、画像の中心値である。これにより、ＤＲＣ回路１２４は、ズーム中心が画像の中心で、ズーム率が２×２（画像を、水平方向ｘおよび垂直方向ｙに、それぞれ２倍とする）とするズーム処理を行うように制御される。
【０１０３】
その後は、ユーザにより、スイッチ番号UpDown3，UpDown4，UpDown5の操作スイッチ（アップダウンスイッチ）が操作されるとき、システム制御ブロック１１０は、volC，volD，volEの値を変化させ、変化後の基板内コマンドvolC，volD，volEを制御バス１１１に送出する。これにより、ＤＲＣ回路１２４は、ユーザの操作に応じたズーム倍率および中心値でのズーム処理を行うように制御される（図５参照）。
【０１０４】
システム制御ブロック１１０により、各機能ブロックの機能が制御されることで、図７に示す画像信号処理装置１００は、以下のように動作する。すなわち、Ｕ／Ｖチューナ１２１（機能ブロック１）では、Ｕ／Ｖ用アンテナで受信された放送信号に対して、システム制御ブロック１１０から送られてくるチャネル制御用の基板内コマンドに基づいて選局処理が施され、所定のチャネルの画像信号が得られる。
【０１０５】
このＵ／Ｖチューナ１２１で得られる画像信号（入力１）は入力セレクタ１２２（機能ブロック２）に入力される。また、この入力セレクタ１２２には、コネクタ１０２ａ（図１参照）に供給された外部ビデオ入力としての画像信号（入力３）も入力される。この入力セレクタ１２２では、システム制御ブロック１１０から送られてくる入力セレクト用の基板内コマンドに基づいて、入力１または入力３が選択される。
【０１０６】
この入力セレクタ１２２で選択された画像信号は、信号ルータ１２３（機能ブロック３）の第１の入力端子、第１の出力端子を介して、ＤＲＣ回路１２４（機能ブロック４）に入力される。このＤＲＣ回路１２４では、入力された画像信号に対して、システム制御ブロック１１０から送られてくる、動画／静止画制御用、解像度制御用、ノイズ除去度制御用の基板内コマンドに基づいてＤＲＣ処理が施される。この場合、基板内コマンドdrc(OFF)が送られてくるとき、ＤＲＣ回路１２４ではＤＲＣ処理は行われず、入力された画像信号がそのまま出力される。
【０１０７】
そして、このＤＲＣ回路１２４から出力される画像信号は、信号ルータ１２３（機能ブロック３）の第２の入力端子、第４の出力端子を介して、コネクタ１０３（図１参照）に出力画像信号として出力される。この出力画像信号は、例えばＣＲＴ(Cathode-Ray Tube)で構成されるディスプレイに供給される。
【０１０８】
次に、上述した基本構成に、デジタル地上波チューナ１２６（機能ブロック６）を追加した構成について説明する。デジタル地上波チューナ１２６は、スロット１０４ｂに挿入される。図８は、接続状態を示している。この場合、システム制御ブロック１１０は、電源投入時に、入力セレクタ１２２（機能ブロック２）、信号ルータ１２３（機能ブロック３）の他、Ｕ／Ｖチューナ１２１（機能ブロック１）、ＤＲＣ回路１２４（機能ブロック４）、デジタル地上波チューナ１２６（機能ブロック６）から、制御情報を取得する。
【０１０９】
デジタル地上波チューナ１２６（機能ブロック６）については、システム制御ブロック１１０は、電源投入時に、内蔵の不揮発性メモリにおけるデジタル地上波チューナ１２６のチャネル制御用のラストメモリ領域に記憶されている基板内コマンドを、制御バス１１１に送出する。これにより、デジタル地上波チューナ１２６は、電源オフ時と同じ選局状態となるように制御される。その後は、ユーザにより、スイッチ番号chUpDownの操作スイッチ（アップダウンスイッチ）が操作されるとき、システム制御ブロック１１０は、基板内コマンドchnの値を変化させ、変化後の基板内コマンドchnを制御バス１１１に送出する。これにより、デジタル地上波チューナ１２６は、ユーザの操作に応じた選局状態となるように制御される。
【０１１０】
入力セレクタ１２２（機能ブロック２）については、システム制御ブロック１１０は、電源投入時に、内蔵の不揮発性メモリの入力セレクト用のラストメモリ領域に記憶されている基板内コマンドin1、基板内コマンドin2または基板内コマンドin3を、制御バス１１１に送出する。基板内コマンドin1は、入力セレクタ１２２を、Ｕ／Ｖチューナ１２１から出力される画像信号（入力１）が選択される状態に制御する。基板内コマンドin2は、入力セレクタ１２２を、デジタル地上波チューナ１２６から出力される画像信号（入力２）が選択される状態に制御する。基板内コマンドin3は、入力セレクタ１２２を、コネクタ１０２ａに入力される外部ビデオ入力としての画像信号（入力３）が選択される状態に制御する。これにより、入力セレクタ１２２は、電源オフ時と同じ選択状態となるように制御される。その後は、ユーザにより、スイッチ番号ＩＮ１，ＩＮ２，ＩＮ３の操作スイッチが操作されるとき、システム制御ブロック１１０は、それぞれ、基板内コマンドin1，in2，in3を制御バス１１１に送出する（図５参照）。これにより、入力セレクタ１２２は、それぞれ、入力１、入力２、入力３の選択状態となるように制御される。
【０１１１】
その他の機能ブロックについては、システム制御ブロック１１０は、上述した基本構成時と同様に制御する。
【０１１２】
システム制御ブロック１１０により、各機能ブロックの機能が制御されることで、図８に示す画像信号処理装置１００は、以下のデジタル地上波チューナ１２６に関係する動作を除き、図７に示す基本構成の画像信号処理装置１００と同様に動作する。
【０１１３】
すなわち、デジタル地上波チューナ１２６（機能ブロック６）では、デジタル地上波用アンテナで受信された放送信号に対して、システム制御ブロック１１０から送られてくるチャネル制御用の基板内コマンドに基づいて選局処理が施され、所定のチャネルの画像信号が得られる。
【０１１４】
このデジタル地上波チューナ１２６で得られる画像信号（入力２）は入力セレクタ１２２（機能ブロック２）に入力される。この入力セレクタ１２２には、Ｕ／Ｖチューナ１２１で得られる画像信号（入力１）、およびコネクタ１０２ａ（図１参照）に供給された外部ビデオ入力としての画像信号（入力３）も入力される。この入力セレクタ１２２では、システム制御ブロック１１０から送られてくる入力セレクト用の基板内コマンドに基づいて、入力１、入力２または入力３が選択される。
【０１１５】
この入力セレクタ１２２で選択された画像信号は、信号ルータ１２３（機能ブロック３）の第１の入力端子、第１の出力端子を介して、ＤＲＣ回路１２４（機能ブロック４）に入力される。以下の動作は、上述した基本構成の動作を同じであり、その説明は省略する。
【０１１６】
次に、上述した基本構成に、パネル用処理回路１２５（機能ブロック５）を追加した構成について説明する。パネル用処理回路１２５は、スロット１０４ｄに挿入される。図９は、接続状態を示している。この場合、システム制御ブロック１１０は、電源投入時に、入力セレクタ１２２（機能ブロック２）、信号ルータ１２３（機能ブロック３）の他、Ｕ／Ｖチューナ１２１（機能ブロック１）、ＤＲＣ回路１２４（機能ブロック４）、パネル用処理回路１２５（機能ブロック５）から、制御情報を取得する。
【０１１７】
信号ルータ１２３（機能ブロック３）については、システム制御ブロック１１０は、電源投入時に、当該信号ルータ１２３から取得された制御情報に含まれている基板内コマンドroute(r)およびパネル用処理回路１２５（機能ブロック５）から取得された制御情報に含まれている基板内コマンドroute(p)基づいて、制御バス１１１に送出すべき基板内コマンドroute(r1)を決定し、この基板内コマンドroute(r1)を制御バス１１１に送出する。これにより、信号ルータ１２３は、パネル用処理挿入状態となるように制御される。つまり、信号ルータ１２３は、第１の入力端子が第１の出力端子に接続され、第２の入力端子が第２の出力端子に接続され、第３の入力端子が第４の出力端子に接続されるように制御される。
【０１１８】
また、ＤＲＣ回路１２４（機能ブロック４）については、システム制御ブロック１１０は、電源投入時に、解像度を制御する基板内コマンドvolA、ノイズ除去度を制御する基板内コマンドvolBを、制御バス１１１に送出する。この基板内コマンドvolA，volBの値は、パネル用処理回路１２５（機能ブロック５）から取得した制御情報に含まれる初期値（設定値）とされる（図５参照）。この初期値は、上述したように、パネル用処理回路１２５が、ＬＣＤ用であるか、ＰＤＰ用であるかに応じて、予め最適に設定されている。これにより、ＤＲＣ回路１２４は、ＬＣＤ用あるいはＰＤＰ用に最適な解像度、ノイズ除去度となるように制御される。
【０１１９】
その後は、ユーザにより、スイッチ番号UpDown1，UpDown1の操作スイッチ（アップダウンスイッチ）が操作されるとき、システム制御ブロック１１０は、基板内コマンドvolA，volBの値を変化させ、変化後の基板内コマンドvolA，volBを制御バス１１１に送出する（図５参照）。これにより、ＤＲＣ回路１２４は、ユーザの操作に応じた、解像度、ノイズ除去度となるように制御される。
【０１２０】
その他の機能ブロックについては、システム制御ブロック１１０は、上述した基本構成時と同様に制御する。
【０１２１】
システム制御ブロック１１０により、各機能ブロックの機能が制御されることで、図９に示す画像信号処理装置１００は、以下のパネル用処理回路１２５に関係する動作を除き、図７に示す基本構成の画像信号処理装置１００と同様に動作する。
【０１２２】
すなわち、ＤＲＣ回路１２４から出力される画像信号は、信号ルータ１２３（機能ブロック３）の第２の入力端子、第２の出力端子を介して、パネル用処理回路１２５に入力される。このパネル用処理回路１２５では、入力画像信号に対して、ＬＣＤ、ＰＤＰ等のフラットパネルディスプレイに当該画像信号による画像を表示する際に必要となる処理、例えば輝度調整、色調整、水平、垂直の画素数変換、インタレース方式からプログレッシブ方式への方式変換等の処理が行われる。
【０１２３】
そして、このパネル用処理回路１２５から出力される画像信号は、信号ルータ１２３（機能ブロック３）の第３の入力端子、第４の出力端子を介して、コネクタ１０３（図１参照）に出力画像信号として出力される。この出力画像信号は、パネル用処理回路１２５がＬＣＤ用のものであるときはＬＣＤで構成されるディスプレイに供給され、パネル用処理回路１２５がＰＤＰ用のものであるときはＰＤＰで構成されるディスプレイに供給される。その他の動作は、上述した基本構成の動作を同じであり、その説明は省略する。
【０１２４】
次に、上述した基本構成に、ノイズ除去回路１２７（機能ブロック７）を追加した構成について説明する。ノイズ除去回路１２７は、スロット１０４ｅに挿入される。図１０は、接続状態を示している。この場合、システム制御ブロック１１０は、電源投入時に、入力セレクタ１２２（機能ブロック２）、信号ルータ１２３（機能ブロック３）の他、Ｕ／Ｖチューナ１２１（機能ブロック１）、ＤＲＣ回路１２４（機能ブロック４）、ノイズ除去回路１２７（機能ブロック７）から、制御情報を取得する。
【０１２５】
信号ルータ１２３（機能ブロック３）については、システム制御ブロック１１０は、電源投入時に、当該信号ルータ１２３から取得された制御情報に含まれている基板内コマンドroute(r)をそのまま制御バス１１１に送出する（図５参照）。これは、ノイズ除去回路１２７から取得された、信号ルータ１２３を制御するための制御情報に含まれる基板内コマンドの初期値はroute(n1)であって、これは上述の基板内コマンドroute(r)とかち合う部分がないからである。因みに、基板内コマンドroute(n1)は、第１の入力端子が第１の出力端子に接続される状態(基本状態）に、信号ルータ１２３を制御するためのものである。これにより、信号ルータ１２３は、基本状態となるように制御される。つまり、信号ルータ１２３は、第１の入力端子が第１の出力端子に接続され、第２の入力端子が第４の出力端子に接続されるように制御される（図７参照）。
【０１２６】
その後、ユーザにより、スイッチ番号Ｎ１の操作スイッチが操作される毎に、システム制御ブロック１１０は、基板内コマンドroute(n2)およびroute(n1)を交互に参照して、制御バス１１１に送出すべき基板内コマンドを決定し、当該基板内コマンドを制御バス１１１に送出する。基板内コマンドroute(n2)は、第１の入力端子が第３の出力端子に接続され、第４の入力端子が第１の出力端子に接続される状態（ノイズ除去挿入状態）に、信号ルータ１２３（機能ブロック３）を制御するためのものである。
【０１２７】
参照基板内コマンドがroute(n2)であるとき、この参照基板内コマンドroute(n2)と基板内コマンドroute(r)とではかち合う部分が存在する。そのため、システム制御ブロック１１０は、そのかち合う部分については、基板内コマンドroute(n2)に基づいて、基板内コマンドroute(r2)を決定し、この基板内コマンドroute(r2)を制御バス１１１に送出する。これにより、信号ルータ１２３は、ノイズ除去挿入状態となるように制御される。つまり、信号ルータ１２３は、第１の入力端子が第３の出力端子に接続され、第４の入力端子が第１の出力端子に接続され、第２の入力端子が第４の出力端子に接続されるように制御される（図１０参照）。一方、参照基板内コマンドがroute(n1)であるときは、上述した電源投入時と同様に、信号ルータ１２３は、基本状態となるように制御される。
【０１２８】
その他の機能ブロックについては、システム制御ブロック１１０は、上述した基本構成時と同様に制御する。
【０１２９】
システム制御ブロック１１０により、各機能ブロックの機能が制御されることで、図１０に示す画像信号処理装置１００は、動作する。電源投入時およびユーザの操作スイッチの操作によって参照基板内コマンドがroute(n1)となるとき、信号ルータ１２３の接続は基本状態となり（図７参照）、ノイズ除去回路１２７が処理系から外れた状態となるので、図７に示す基本構成の画像信号処理装置１００と同じ動作となる。
【０１３０】
また、ユーザの操作スイッチの操作によって参照基板内コマンドがroute(n2)となるとき、信号ルータ１２３の接続はノイズ除去挿入状態となり（図１０参照）、ノイズ除去回路１２７が処理系に挿入された状態となる。
【０１３１】
この場合、入力セレクタ１２２で選択された画像信号は、信号ルータ１２３（機能ブロック３）の第１の入力端子、第３の出力端子を介して、ノイズ除去回路１２７に供給される。このノイズ除去回路１２７では、入力画像信号に対して、例えばＩＩＲ(Infinite Impulse Response)フィルタ等を用いたノイズを除去処理が施される。このノイズ除去回路１２７から出力される画像信号は、信号ルータ１２３（機能ブロック３）の第４の入力端子、第１の出力端子を介して、ＤＲＣ回路１２４に入力される。そのその他の動作は、上述した基本構成の動作を同じであり、その説明は省略する。
【０１３２】
次に、上述した基本構成に、デジタル地上波チューナ１２６（機能ブロック６）、パネル用処理回路１２５（機能ブロック５）およびノイズ除去回路１２７（機能ブロック７）を追加した構成について説明する。図１１は、接続状態を示している。この場合、システム制御ブロック１１０は、電源投入時に、入力セレクタ１２２（機能ブロック２）、信号ルータ１２３（機能ブロック３）の他、Ｕ／Ｖチューナ１２１（機能ブロック１）、ＤＲＣ回路１２４（機能ブロック４）、デジタル地上波チューナ１２６（機能ブロック６）、パネル用処理回路１２５（機能ブロック５）、ノイズ除去回路１２７（機能ブロック７）から、制御情報を取得する。
【０１３３】
信号ルータ１２３（機能ブロック３）については、システム制御ブロック１１０は、電源投入時に、この信号ルータ１２３から取得された制御情報に含まれる基板内コマンドroute(r)およびパネル用処理回路１２５（機能ブロック５）から取得された制御情報に含まれる基板内コマンドroute(p)に基づいて、制御バス１１１に送出すべき基板内コマンドをroute(r1)に決定し、この基板内コマンドroute(r1)を制御バス１１１に送出する。これにより、信号ルータ１２３は、パネル用処理挿入状態となるように制御される。つまり、信号ルータ１２３は、第１の入力端子が第１の出力端子に接続され、第２の入力端子が第２の出力端子に接続され、第３の入力端子が第４の出力端子に接続されるように制御される（図９参照）。
【０１３４】
その後、ユーザにより、スイッチ番号Ｎ１の操作スイッチが操作される毎に、システム制御ブロック１１０は、基板内コマンドroute(n2)およびroute(n1)を交互に参照して、制御バス１１１に送出すべき基板内コマンドを決定し、当該基板内コマンドを制御バス１１１に送出する。参照基板内コマンドがroute(n2)であるとき、この参照基板内コマンドroute(n2)と基板内コマンドroute(r)とではかち合う部分が存在する。そのため、システム制御ブロック１１０は、そのかち合う部分については、基板内コマンドroute(n2)に基づいて、基板内コマンドroute(r3)を決定し、この基板内コマンドroute(r3)を制御バス１１１に送出する。
【０１３５】
これにより、信号ルータ１２３は、パネル用処理挿入状態およびノイズ除去挿入状態となるように制御される。つまり、信号ルータ１２３は、第１の入力端子が第３の出力端子に接続され、第４の入力端子が第１の出力端子に接続され、第２の入力端子が第２の出力端子に接続され、第３の入力端子が第４の出力端子に接続されるように制御される（図１１参照）。一方、参照基板内コマンドがroute(n1)であるときは、上述した電源投入時と同様に、信号ルータ１２３は、パネル用処理挿入状態となるように制御される。
【０１３６】
その他の機能ブロックについては、システム制御ブロック１１０は、上述した基本構成時およびデジタル地上波チューナ１２６の追加時と同様に制御する。
【０１３７】
システム制御ブロック１１０により、各機能ブロックの機能が制御されることで、図１１に示す画像信号処理装置１００は、動作する。電源投入時およびユーザの操作スイッチの操作によって参照基板内コマンドがroute(n1)となるとき、信号ルータ１２３の接続はパネル用処理挿入状態となり（図９参照）、ノイズ除去回路１２７が処理系から外れた状態となるので、入力セレクタ１２２から出力される画像信号に対する動作は、パネル用処理回路１２５が追加された図９の画像信号処理装置１００と同じとなる。なお、入力セレクタ１２２以前の動作は、デジタル地上波チューナ１２６が追加された図８の画像信号処理装置１００と同じとなる。
【０１３８】
また、ユーザの操作スイッチの操作によって参照基板内コマンドがroute(n2)となるとき、信号ルータ１２３の接続はパネル用処理挿入状態およびノイズ除去挿入状態となり（図１１参照）、ノイズ除去回路１２７が処理系に挿入された状態となる。
【０１３９】
この場合、入力セレクタ１２２で選択された画像信号は、信号ルータ１２３（機能ブロック３）の第１の入力端子、第３の出力端子を介して、ノイズ除去回路１２７に供給される。このノイズ除去回路１２７では、入力画像信号に対して、例えばＩＩＲ(Infinite Impulse Response)フィルタ等を用いたノイズを除去処理が施される。このノイズ除去回路１２７から出力される画像信号は、信号ルータ１２３（機能ブロック３）の第４の入力端子、第１の出力端子を介して、ＤＲＣ回路１２４に入力される。
【０１４０】
このＤＲＣ回路１２４では、入力画像信号に対して、システム制御ブロック１１０から送られてくる、動画／静止画制御用、解像度制御用、ノイズ除去度制御用の基板内コマンドに基づいてＤＲＣ処理が施される。この場合、基板内コマンドdrc(OFF)が送られてくるとき、ＤＲＣ回路１２４ではＤＲＣ処理は行われず、入力された画像信号がそのまま出力される。このＤＲＣ回路１２４から出力される画像信号は、信号ルータ１２３（機能ブロック３）の第２の入力端子、第２の出力端子を介して、パネル用処理回路１２５に入力される。
【０１４１】
このパネル用処理回路１２５では、入力画像信号に対して、ＬＣＤ、ＰＤＰ等のフラットパネルディスプレイに当該画像信号による画像を表示する際に必要となる処理、例えば輝度調整、色調整、水平、垂直の画素数変換、インタレース方式からプログレッシブ方式への方式変換等の処理が行われる。そして、このパネル用処理回路１２５から出力される画像信号は、信号ルータ１２３（機能ブロック３）の第３の入力端子、第４の出力端子を介して、コネクタ１０３（図１参照）に出力画像信号として出力される。なお、入力セレクタ１２２以前の動作は、デジタル地上波チューナ１２６が追加された図８の画像信号処理装置１００と同じとなる。
【０１４２】
上述した本実施の形態においては、信号ルータ１２３（機能ブロック３）から取得された、この信号ルータ１２３を制御するための制御情報と、パネル用処理回路１２５（機能ブロック５）から取得された、信号ルータ１２３を制御するための制御情報との間には、かち合う部分が存在するが、そのかち合う部分についてはパネル用処理回路１２５から取得された制御情報（route(p)）を優先させて、信号ルータ１２３への基板内コマンドroute(r1)が決定される。したがって、パネル用処理回路１２５を追加する際に、信号ルータ１２３内の制御情報を変更する必要がなく、パネル用処理回路１２５に信号ルータ１２３の機能を変化させるための制御情報を格納しておくだけで済み、パネル用処理回路１２５を容易に追加できる。
【０１４３】
また、信号ルータ１２３（機能ブロック３）から取得された、この信号ルータ１２３を制御するための制御情報と、ノイズ除去回路１２７（機能ブロック７）から取得された、信号ルータ１２３を制御するための制御情報との間には、かち合う部分が存在するが、そのかち合う部分についてはノイズ除去回路１２７から取得された制御情報（route(n2)）を優先させて、信号ルータ１２３への基板内コマンドroute(r2)が決定される。したがって、ノイズ除去回路１２７を追加する際に、信号ルータ１２３内の制御情報を変更する必要がなく、ノイズ除去回路１２７に信号ルータ１２３の機能を変化させるための制御情報を格納しておくだけで済み、ノイズ除去回路１２７を容易に追加できる。
【０１４４】
また、ＤＲＣ回路１２４（機能ブロック４）から取得された、このＤＲＣ回路１２４を制御するための制御情報と、パネル用処理回路１２５（機能ブロック５）から取得された、ＤＲＣ回路１２４を制御するための制御情報との間には、解像度、ノイズ除去度の初期値の部分でかち合うが、そのかち合う部分についてはパネル用処理回路１２５から取得された制御情報に含まれる初期値を優先させて、ＤＲＣ回路１２４への基板内コマンドvolA，volBの初期値が決定される。したがって、パネル用処理回路１２５を追加する際に、ＤＲＣ回路１２４内の制御情報を変更する必要がなく、パネル用処理回路１２５にＤＲＣ回路１２４の機能を変化させるための制御情報を格納しておくだけで済み、パネル用処理回路１２５を容易に追加できる。
【０１４５】
なお、上述実施の形態は、Ｕ／Ｖチューナ１２１（機能ブロック１）、入力セレクタ１２２（機能ブロック２）、信号ルータ１２３（機能ブロック３）、ＤＲＣ回路１２４（機能ブロック４）、パネル用処理回路１２５（機能ブロック５）、デジタル地上波チューナ１２６（機能ブロック６）、ノイズ除去回路１２７（機能ブロック７）等からなる画像信号処理装置１００を示したものであるが、機能ブロックの個数および種類はこれに限定されない。スロット数も５個に限定されない。また、この発明は、画像信号処理装置だけでなく、音声信号等のその他の情報信号を処理する装置にも同様に適用できる。
【０１４６】
また、上述実施の形態において、機能ブロック１２０は基板を単位としているが、これに限定されるものではない。機能ブロック１２０としては、ＬＳＩ(Large Scale Integrated circuit)のチップを単位とすることもでき、またこれら基板、チップからなる装置を単位とすることもできる。
【産業上の利用可能性】
【０１４７】
この発明は、新たな機能ブロックを追加する際に既存の機能ブロックの機能を変化させる必要がある場合であっても、当該新たな機能ブロックを容易に追加できるものであり、例えば複数の機能ブロックを用いて画像信号にノイズ除去、高画質化等の一連の処理を行う画像信号処理装置等に適用できる。
【図面の簡単な説明】
【０１４８】
【図１】実施の形態としての画像信号処理装置の構成を示すブロック図である。
【図２】機能ブロックの基本構成を示すブロック図である。
【図３】機能ブロック内の制御インタフェース（制御Ｉ／Ｆ）の構成を示すブロック図である。
【図４】制御インタフェース内のＲＯＭに記憶されている制御情報の構成を示す図である。
【図５】各機能ブロックに格納される基板内コマンドを説明するための図である。
【図６】システム制御ブロックの動作を説明するためのフローチャートである。
【図７】画像信号処理装置の基本構成の接続状態を示す図である。
【図８】基本構成にデジタル地上波チューナを追加した場合の接続状態を示す図である。
【図９】基本構成にパネル用処理回路を追加した場合の接続状態を示す図である。
【図１０】基本構成にノイズ除去回路を追加した場合の接続状態を示す図である。
【図１１】基本構成に、複数の機能ブロックを追加した場合の接続状態を示す図である。
【符号の説明】
【０１４９】
１００・・・画像信号処理装置、１０１・・・筐体、１０２ａ〜１０２ｃ，１０３・・・コネクタ、１０４ａ〜１０４ｅ・・・スロット、１１０・・・システム制御ブロック、１１１・・・制御バス、１１２・・・リモコン送信機、１１３・・・操作部、１２０・・・機能ブロック、１２０ａ・・・制御用コネクタ、１２０ｂ・・・入力用コネクタ、１２０ｃ・・・出力用コネクタ、１２０ｄ・・・制御インタフェース（制御Ｉ／Ｆ）、１２０ｅ・・・機能部、１２０ｄ-1・・・制御ポート、１２０ｄ-2・・・ＲＯＭ、１２０ｄ-3・・・コマンドデコーダ、１２１・・・Ｕ／Ｖチューナ（機能ブロック１）、１２２・・・信号セレクタ（機能ブロック２）、１２３・・・信号ルータ（機能ブロック３）、１２４・・・ＤＲＣ回路（機能ブロック４）、１２５・・・パネル用処理回路（機能ブロック５）、１２６・・・デジタル地上波チューナ（機能ブロック６）、１２７・・・ノイズ除去回路（機能ブロック７）
【図１】
2005190083.tif 000003
【図２】
2005190083.tif 000004
【図３】
2005190083.tif 000005
【図４】
2005190083.tif 000006
【図５】
2005190083.tif 000007
【図６】
2005190083.tif 000008
【図７】
2005190083.tif 000009
【図８】
2005190083.tif 000010
【図９】
2005190083.tif 000011
【図１０】
2005190083.tif 000012
【図１１】
2005190083.tif 000013